(57)【要約】【課題】  全体の構成が極めて単純でかつ簡単な作業で組立使用することが出来、しかも安価に大量生産することが出来る装飾ピースを目的とする。【解決手段】  円形、三角形、方形、長方形、ハート形、菱形、星形等の所定の形状を有する葉状シート２の内部に所定形状の打抜部材４を隙間３を介して打抜き、かつこれ等の打抜部材４を葉状シート２に連結片５を介して連結して構成した装飾ピース１の構造である。【選択図】        図１
0003104641.tif 000002
【実用新案登録請求の範囲】
【請求項１】
円形、三角形、方形、長方形、菱形、ハート形、ツリー形等の所定の外形を有する葉状シートの内部を所定形状に打抜いて打板部材を形成し、かつ該打板部材の外周と葉状シートの打抜穴の内周とを単数或は複数の連結片で相互に連結して構成したことを特徴とした装飾ピース。
【請求項２】
前記打抜片が連結片を介して葉状シートに対して回動し得る如く構成したことを特徴とした請求項１の装飾ピース。
【考案の詳細な説明】
【技術分野】
【０００１】
本考案は、デコレーションケーキ、クリスマスツリー、売店の店内或はショウルーム等に広く利用することが出来る装飾ピースに係り、特に所定の外形を有する葉状シートの内部を所定の形状に打抜いて打抜部材を設けると共に、該打抜部材と葉状シートを連結片を介して相互に連結して構成した装飾ピースに関するものである。
【背景技術】
【０００２】
従来のデコレーションケーキ等の装飾品としては、例えば実用新案登録第３０８１９９０号公報（特許文献１）、実開平５−４８６９０号公報（特許文献２）等の技術が知られている。
【０００３】
前記特許文献１の考案に係る技術は、デコレーションケーキに突き立てられたスティックと、このスティックの上部に一体形成された背板と、装飾リボンとを有し、そして装飾リボンが背板に支持部材を介して支持されて構成されたケーキ用装飾品に関する技術である。
【０００４】
また、前記特許文献２の考案に係る技術は、所定部分に開口部が形成された装飾プレートと、透光性材料からなる基部、前記開口部と同様の平面形状を有し前記基部より前記開口部に突出する透光性材料からなる突出部、及び該突出部の周縁部の少なくとも一部に於ける前記基部側に設けられた切欠部を有する透明装飾部材と、前記突出部の周囲に弾性力によって取り付けられると共に前記切欠部に案内されることにより前記装飾プレートを前記基部の方向に押圧して固定するリング状の弾性体とを備え、前記突出部の表面又は前記基部の前記突出部とは反対側の部分に装飾が施されていることを特徴とするデコレーションケーキ用装飾ピースに関する技術である。
【０００５】
【特許文献１】実用新案登録第３０８１９９０号公報
【特許文献２】実開平５−４８６９０号公報
【考案の開示】
【考案が解決しようとする課題】
【０００６】
前述の特許文献１或は特許文献２に例示する技術は、デコレーションケーキ等の装飾品を構成するに当って、極めて多くの多種多様の装飾部品を夫々用意し、かつこれ等の多くの装飾部品を特定の順序で組立て構成しなければならないので、作業性が悪く、全体としてコスト高になる等の大きな問題があった。
【０００７】
本考案に係る装飾ピースは、前述の従来の問題点に鑑み開発された全く新しい技術であって、特に所定の外形を持った葉状シートの内部を所定の形状に打抜いて打抜部材を形成すると共に、この打抜部材と葉状シートを連結片を介して相互に連結するように構成した装飾ピースに関する技術である。
【課題を解決するための手段】
【０００８】
本考案に係る装飾ピースは、前述の問題点を根本的に改善した考案であって、その第１考案の要旨は、円形、三角形、方形、長方形、菱形、ハート形、ツリー形等の所定の外形を有する葉状シートの内部を所定形状に打抜いて打板部材を形成し、かつ該打板部材の外周と葉状シートの打抜穴の内周とを単数或は複数の連結片で相互に連結して構成したことを特徴とした装飾ピースである。
【０００９】
本考案に係る装飾ピースの第２考案の要旨は、前記打抜片が連結片を介して葉状シートに対して回動し得る如く構成したことを特徴とした第１考案の装飾ピースである。
【考案の効果】
【００１０】
本考案に係る装飾ピースの第１考案は、所定の外形を有する葉状シートの内部を所定の形状に打抜いて打抜部材を形成すると共に、これ等の葉状シートと打抜部材とを連結片で相互に連結して構成したので、極めて目立った装飾品を一度の打板作業によって簡単に構成することが出来る。
【００１１】
特に、葉状シートと打抜部材との形状は、三角形、円形、方形、長方形、菱形、ハート形、ツリー形等の任意の形状に変えることが出来、かつ形状の全く異なる葉状シートと打抜部材とを組合せることが出来る。また、打抜部材を打抜き形成する際に、打抜部材と葉状シートとの間に比較的巾広の隙間を設けた場合には、葉状シートの中に打抜部材を浮び上らせることが出来る。
【００１２】
本考案の装飾ピースは、美麗な印刷の施された厚紙、アルミ箔積層紙、プラスチックシート等の枚葉紙をプレスによって打抜くことによって、一度に多数の装飾ピースを安価に大量生産することが出来る。また１個の葉状シートの中に複数の打抜部材を打抜き形成することも可能である。
【００１３】
本考案の装飾ピースの第２考案に於ては、葉状シートの中に形成した打抜片を葉状シートに対して回動し得るように構成したので、装飾ピースを使用する際には、打抜片を所定の角度に回動して葉状シートより独立した状態で立体的に表示して、装飾効果を向上させることが出来る。
【考案を実施するための最良の形態】
【００１４】
図により本考案に係る装飾ピースの一実施例を具体的に説明すると、図１は本考案に係る装飾ピースの第１実施例を示す説明図、図２は図１の装飾ピースを使用する状態の斜視図、図３は本考案の装飾ピースの第２実施例を示す説明図、図４は本考案の他例の装飾ピースを示す平面図である。
【００１５】
図１により本考案に係る装飾ピースの第１実施例について説明すると、１は本考案に係る装飾ピースである。この装飾ピース１は、美麗な印刷が表面に施された円形の葉状シート２の中央部に所定の隙間３を介して円形の打抜部材４が形成されている。この打抜部材４は、左右対称の位置に設けられた一対の連結片５によって円形の葉状シート２に連結されている。この実施例の場合には、同図（ｂ）に示す如く、一対の連結片５を利用して、打抜部材４を葉状シート２に対して９０度回動して、全体を立体的に構成することが出来る。
【００１６】
前述の実施例に於ては、円形の葉状シート２の中に円形の打抜部材４を形成したが、この打抜部材４は三角、四角、菱形、ハート形等の種々の形状にプレスで打抜くことも可能である。また、連結片５は単数でも、或は複数でも可能である。隙間３の巾を大きくして、打抜部材４を葉状シート２より独立した状態に形成することも可能である。
【００１７】
前記実施例に於ては、葉状シート２に厚紙を使用したが、葉状シート２はアルミ箔や布等を表面に積層した厚紙、プラスチックシート等が広く使用することが出来る。さらに、前記説明に於ては、１枚の葉状シート２の内部に打抜部材４を打抜いた実施例について説明したが、巾広の枚葉厚紙より多数の葉状シート２を打抜く際に、これ等の葉状シート２の中に打抜部材４を同時に打抜いて、一回のプレスによって、多数の装飾ピースを同時成形することも可能である。
【００１８】
前述の本考案に係る装飾ピース１の使用に当っては、例えば図２に示す如く、デコレーションケーキ６の表面に塗着された生クリーム７の中に装飾ピース１の葉状シート２の一部を差し込み、装飾ピース１をデコレーションケーキ６の表面に立体的に起立して装飾品或はケーキの種類、メーカーの名称等表示プレートとして使用することが出来る。
【００１９】
次に図３により本考案の装飾ピース１の第２実施例について説明する。この第２実施例に於ては、星形の葉状シート２の中に円形の打抜部材４が隙間３を介して形成されている。また、打抜部材４は上下に設けた一対の連結片５によって葉状シート２に連結されている。葉状シート２の一部には、紐８を挿通するための穴９が穿設されている。この第２実施例の場合には、紐８を介して装飾ピース１を吊り下げ、この状態でクリスマスツリー、店頭、ショウウィンドウ、子供部屋等を飾ることが出来る。
【００２０】
図４に示す実施例は、前記第１実施例及び第２実施例以外の多数の実施例である。これ等の実施例に於ては、種々の形状の葉状シート２の中に種々の形状の打抜部材４が設けられて、夫々装飾ピース１が構成されている。また、連結片５が単数のものも、複数のものも存在する。
【産業上の利用可能性】
【００２１】
本考案に係る装飾ピースは、菓子等の食品の表示及び装飾品として使用する他に、クリスマスツリー、店頭、店内、ショウウィンドウ、屋内の部屋等の装飾品として多方面に使用することが出来る。
【図面の簡単な説明】
【００２２】
【図１】考案に係る装飾ピースの第１実施例を示す説明図である。
【図２】図１の装飾ピースを使用する状態の斜視図である。
【図３】本考案の装飾ピースの第２実施例を示す説明図である。
【図４】本考案の他例の装飾ピースを示す平面図である。
【符号の説明】
【００２３】
１      ・・・装飾ピース
２      ・・・葉状シート
３      ・・・隙間
４      ・・・打抜部材
５      ・・・連結片
６      ・・・デコレーションケーキ
７      ・・・生クリーム
８      ・・・紐
９      ・・・穴
【図１】
0003104641.tif 000003
【図２】
0003104641.tif 000004
【図３】
0003104641.tif 000005
【図４】
0003104641.tif 000006